(57)【要約】【課題】煩雑な手動操作を行うことなく、複数の記録手段に記録されている画像を再生表示可能とする。【解決手段】撮像／再生装置１００は、システム制御部５０、表示部５４、スロット切換部８０、再生方法制御部８２、記録方法制御部８４を有する。システム制御部５０は、記録媒体に記録されている画像を順に再生する。記録媒体への記録方法として自動切り換えが選択されていない場合、再生表示対象の画像を同じ記録媒体の先頭画像に戻す。記録媒体への記録方法として自動切り換えが選択されている場合、次の記録媒体が存在するか否かを判断する。次の記録媒体が存在する場合、次の記録媒体に自動切り換えする。次の記録媒体が存在しない場合、再生表示対象の画像を同じ記録媒体の先頭画像に戻す。【選択図】図６
2008141510.tif 000002
【特許請求の範囲】
【請求項１】
被写体を撮影して得た画像を記録する複数の記録手段と、前記記録手段に記録されている画像を表示する表示手段とを有する画像記録再生装置であって、
前記複数の記録手段のうち１つの記録手段に記録されている画像を再生して前記表示手段に表示した後、順次、他の記録手段に記録されている画像を再生して前記表示手段に表示する制御を行う制御手段を有することを特徴とする画像記録再生装置。
【請求項２】
前記記録手段に記録されている画像を再生して前記表示手段に表示する際に、画像再生表示対象の記録手段を自動で切り換えるか否かを選択する選択手段を更に有し、
前記制御手段は、前記選択手段による選択内容が、画像再生表示対象の記録手段を自動で切り換える選択であるか自動で切り換えない選択であるかを判別し、自動で切り換える選択である場合に前記画像再生表示制御を行うことを特徴とする請求項１記載の画像記録再生装置。
【請求項３】
前記選択手段は、１つの記録手段に画像の記録ができなくなった場合に次の記録手段に自動で切り換えるか否かを選択することが可能であり、
前記制御手段は、前記選択手段による選択内容が、１つの記録手段に画像の記録ができなくなった場合に次の記録手段に自動で切り換える選択であるか自動で切り換えない選択であるかを判別し、自動で切り換える選択である場合に前記画像再生表示制御を行うことを特徴とする請求項１又は２記載の画像記録再生装置。
【請求項４】
前記選択手段は、各々の記録手段に異なる画像サイズで画像形式の画像を同時に保存するか否かを選択することが可能であり、
前記制御手段は、前記選択手段による選択内容が、各々の記録手段に異なる画像サイズで画像形式の画像を同時に保存する選択であるかそれ以外の選択であるかを判別し、同時に保存する選択である場合に前記画像再生表示制御を行うことを特徴とする請求項１又は２記載の画像記録再生装置。
【請求項５】
前記記録手段に記録されている画像を再生して前記表示手段に表示する際に、画像再生表示対象のフォルダを自動で切り換えるか否かを選択する選択手段を更に有し、
前記制御手段は、前記選択手段による選択内容が、画像再生表示対象のフォルダを自動で切り換える選択であるか自動で切り換えない選択であるかを判別し、自動で切り換える選択である場合に前記画像再生表示制御を行うことを特徴とする請求項１記載の画像記録再生装置。
【請求項６】
前記制御手段は、１つの記録手段に記録されている最終画像のファイル番号と次の記録手段に記録されている最初の画像のファイル番号が続き番号であるか否かを判別し、続き番号である場合に前記画像再生表示制御を行うことを特徴とする請求項１記載の画像記録再生装置。
【請求項７】
前記制御手段は、１つのフォルダに記録されている最終画像のファイル番号と次のフォルダに記録されている最初の画像のファイル番号が続き番号であるか否かを判別し、続き番号である場合に前記画像再生表示制御を行うことを特徴とする請求項１記載の画像記録再生装置。
【請求項８】
前記制御手段は、前記選択手段による画像再生表示対象の記録手段を自動で切り換えるか否かの選択に応じて、画像記録時に複数の記録手段を自動で切り換えるか否かを判別することを特徴とする請求項１又は２記載の画像記録再生装置。
【請求項９】
前記請求項１乃至８の何れかに記載の画像記録再生装置を備えることを特徴とする撮像装置。
【請求項１０】
被写体を撮影して得た画像を記録する複数の記録手段と、前記記録手段に記録されている画像を表示する表示手段とを有する画像記録再生装置の制御方法であって、
前記複数の記録手段のうち１つの記録手段に記録されている画像を再生して前記表示手段に表示した後、順次、他の記録手段に記録されている画像を再生して前記表示手段に表示する制御を行う制御ステップを有することを特徴とする制御方法。
【請求項１１】
前記請求項１０記載の画像記録再生装置の制御方法をコンピュータに実行させるためのプログラム。
【発明の詳細な説明】
【技術分野】
【０００１】
本発明は、複数の記録手段に静止画像や動画像を記録する機能を有する画像記録再生装置、撮像装置、制御方法、及びプログラムに関する。
【背景技術】
【０００２】
従来、複数のスロットを有する撮像／再生装置が存在する。また、画像の撮影時（記録時）に自動でスロットを切り換えて撮影を続ける撮像／再生装置も存在する。この種の撮像／再生装置では、画像の再生時に自動でスロットを切り換えて該当するスロットに接続された記録媒体に記録された画像を再生することができない。そのため、ユーザは手動操作により、再生表示対象の画像が記録された記録媒体が接続されたスロットを選択する必要がある。
【０００３】
従って、上記の撮像／再生装置では、撮影時には自動でスロットが切り換わったにも関わらず、再生時にはスロットが切り換わらないことにより、撮影した全ての画像を確認することが非常に困難である。これに対し、撮影時に自動でスロットが切り換わらないのに、再生時には自動でスロットが切り換わってしまうと、再生画像が不用意に多くなってしまう。フォルダに関しても同様である。
【０００４】
他方、複数のスロットに各々接続される記録媒体に画像サイズや画像形式が異なるファイルを保存する撮像／再生装置が存在する。また、複数のスロットに各々接続される記録媒体に画像サイズや画像形式が同一であるファイルを保存する撮像／再生装置も存在する。この種の撮像／再生装置では、様々な記録方法に応じて再生方法を切り換える手段は用意されていない。また、再生方法をユーザが選択できる機能も提供されていない。
【０００５】
上述した撮像／再生装置に関しては各種の技術が提案されている（例えば、特許文献１参照）。
【特許文献１】特開２００５−２２３７６１号公報
【発明の開示】
【発明が解決しようとする課題】
【０００６】
ところで、上述した複数のスロットを有する撮像／再生装置が増加の傾向にある。しかし、従来のこの種の撮像／再生装置では、複数のスロットに関する画像の記録方法と再生方法の操作性のマッチングが取られていないという問題があった。そのため、ユーザが撮像／再生装置を用いて画像の記録や再生を行う場合、ユーザにとっては操作性が十分でないという課題があった。
【０００７】
そこで、本発明は、煩雑な手動操作を行うことなく、複数の記録手段に記録されている画像を再生表示可能とすることを目的とする。
【課題を解決するための手段】
【０００８】
上述の目的を達成するために、本発明の画像記録再生装置は、被写体を撮影して得た画像を記録する複数の記録手段と、前記記録手段に記録されている画像を表示する表示手段とを有する画像記録再生装置であって、前記複数の記録手段のうち１つの記録手段に記録されている画像を再生して前記表示手段に表示した後、順次、他の記録手段に記録されている画像を再生して前記表示手段に表示する制御を行う制御手段を有することを特徴とする。
【発明の効果】
【０００９】
本発明によれば、煩雑な手動操作を行うことなく、複数の記録手段に記録されている画像を再生表示することが可能となる。
【発明を実施するための最良の形態】
【００１０】
以下、本発明の実施の形態を図面を参照して説明する。
【００１１】
図１は、本発明の実施の形態に係る撮像／再生装置の構成を示すブロック図である。
【００１２】
図１において、撮像／再生装置１００は、被写体の画像の撮影、撮影した画像の記録／再生／表示が可能であり、レンズユニット３００が着脱可能に構成されている。尚、図１で符号を付けていない構成要素は本実施の形態の以下の説明には直接関係しない公知の構成要素であり、説明を省略する。
【００１３】
シャッタ１２は、撮像素子１４への露光量を制御する。撮像素子１４は、撮影に伴う被写体の光学像を電気信号に光電変換する。画像表示メモリ２４は、表示対象の画像データを記憶する。画像表示部２８は、ＴＦＴ ＬＣＤ等から構成され、画像を表示する。システム制御部５０は、撮像／再生装置１００全体を制御するものであり、プログラムに基づき後述の各フローチャートに示す処理を実行する。メモリ５２は、システム制御部５０の動作用の定数、変数、プログラム等を記憶する。
【００１４】
表示部５４は、システム制御部５０によるプログラムの実行に応じて、文字、画像、音声等を用いて撮像／再生装置１００の動作状態やメッセージ等を表示する。尚、本実施の形態では表示部５４を液晶表示部とした場合を例に挙げるが、表示方式は液晶に限定されるものではなく任意である。不揮発性メモリ５６は、データを電気的に消去／記録可能であり、例えばＥＥＰＲＯＭ等が用いられる。シャッタスイッチＳＷ１・６２は、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始の指示に用いる。
【００１５】
操作部６８は、各種ボタンやタッチパネル等から構成される。スロット切換部８０は、画像記録を行う記録媒体または画像再生を行う記録媒体が接続（挿入）されるスロットを切り換える。本実施の形態では、スロット切換部８０による自動でのスロット切り換えと、手動でのスロット切り換えが可能となっている。再生方法制御部８２は、撮像／再生装置１００において画像再生表示方法を自動選択する機能を実行する。記録方法制御部８４は、撮像／再生装置１００において画像記録方法を自動選択する機能を実行する。
【００１６】
インタフェース部９０、９４は、ＣＦカード、ＳＤカード、ＨＤＤ（ハードディスク）等の記録媒体とのインタフェースを司る。コネクタ９２、９６は、記録媒体と接続を行う。通信部１１０は、ＲＳ２３２Ｃ、ＵＳＢ、ＩＥＥＥＥ１３９４、Ｐ１２８４、ＳＣＳＩ、モデム、ＬＡＮ、無線通信、等の各種通信機能を有する。
【００１７】
接続部１１２は、撮像／再生装置１００が通信部１１０により他の機器と通信を行う際に両者を接続するものであり、有線通信の場合はコネクタ、無線通信の場合はアンテナである。記録媒体２００、２１０は、ＣＦカード、ＳＤカード、ＨＤＤ等から構成され、画像を記録する。尚、記録媒体の個数は任意の個数とすることが可能である。また、記録媒体は、撮像／再生装置１００に内蔵する構成、外付けとする構成の何れでもよい。レンズユニット３００は、交換レンズタイプのユニットであり、撮像／再生装置１００に装着される。
【００１８】
次に、上記構成を有する本実施の形態の撮像／再生装置１００の機能及び動作について図２乃至図１６を参照しながら詳細に説明する。
【００１９】
図２は、撮像／再生装置１００で画像を再生して表示する時に１つの記録媒体に記録されている画像を表示した後に、次の記録媒体に記録されている画像を自動で再生表示する機能を示す図である。
【００２０】
図２において、上段のIMG_0001.jpg〜IMG_0005.jpg、下段のIMG_0001.jpg〜IMG_0005.jpgは、それぞれ「ＣＦカード」、「ＳＤカード」に保存されている圧縮処理された画像データを示している。矢印は画像データの読み込み順を示している。即ち、「ＣＦカード」のIMG_0001.jpg（最初の画像データ）〜IMG_0005.jpg（最終画像データ）が読み込まれた後は、「ＳＤカード」のIMG_0001.jpg（最初の画像データ）〜IMG_0005.jpg（最終画像データ）が読み込まれる。その後、「ＣＦカード」のIMG_0001.jpg（最初の画像データ）に戻る様子を示している。
【００２１】
本実施の形態では、上記図１で説明したように、記録媒体２００、２１０は、「ＣＦカード」、「ＳＤカード」、「ＨＤＤ」として構成されている。尚、記録媒体２００、２１０の組み合わせとしては、「ＣＦカード」と「ＣＦカード」或いは「ＳＤカード」と「ＳＤカード」のように同種類の組み合わせでも構わない。
【００２２】
図３は、撮像／再生装置１００で画像再生表示を行う際に画像を読み込む記録媒体の切り換え方法を示すフローチャートである。
【００２３】
図３において、複数の記録媒体を区別するために、記録媒体１、記録媒体２、記録媒体３のように識別符号を付けて説明する。撮像／再生装置１００のシステム制御部５０は、記録媒体１（例えばＣＦカード）に記録されている画像を順に読み込んで表示部５４に再生表示する（ステップＳ２０１）。記録媒体１の画像再生表示が終了した後は、システム制御部５０は、記録媒体２（例えばＳＤカード）に記録されている画像を順に読み込んで表示部５４に再生表示する（ステップＳ２０２）。
【００２４】
記録媒体２の画像再生表示が終了した後は、システム制御部５０は、記録媒体３（例えばＨＤＤ）に記録されている画像を順に読み込んで表示部５４に再生表示する（ステップＳ２０３）。全ての記録媒体に記録されている画像の再生表示が終了したならば、上記ステップＳ２０１の記録媒体１の再生表示処理に再び戻る。尚、本処理はユーザにより操作部６８の所定のボタンが操作された場合に終了する。システム制御部５０は、スロット切換部８０により複数の記録媒体を切り換えることで、画像再生表示を制御する。
【００２５】
図４は、撮像／再生装置１００の液晶表示部に表示される画像再生表示選択例を示す図である。
【００２６】
図４において、ユーザは撮像／再生装置１００で画像を記録媒体から再生して表示部５４に表示する時に、現在画像を読み込んでいる記録媒体から次の記録媒体に自動で切り換えるか否かを選択することが可能である。図示のように、表示部５４には、画像再生表示方法の画面（「再生自動切り換え」を「しない」「する」を選択するための画面）が表示される。システム制御部５０は、ユーザによる表示部５４からの選択に基づいて再生方法制御部８２により画像の再生方法を制御する。システム制御部５０は、表示部５４から選択された画像再生表示方法をシステム制御部５０内部或いはメモリ５２に記憶する。
【００２７】
即ち、撮像／再生装置１００では、当該記録媒体に記録されている画像を表示部５４に表示した後に、次の記録媒体に記録されている画像を自動で再生表示するか否かを選択することが可能である。また、撮像／再生装置１００では、当該記録媒体に画像の記録ができなくなった場合に次の記録媒体に自動で切り換えるか否かを選択することが可能である。
【００２８】
図５（ａ）、（ｂ）は、撮像／再生装置１００における画像記録時の複数の記録媒体への記録方法と、前記記録方法に基づいて画像再生表示方法が自動判別される機能を示す図である。
【００２９】
図５において、図５（ａ）では、記録媒体への記録方法は、「記録媒体が自動で切り換わる」ように選択されている。これに伴い、画像再生表示方法は、「画像を読み出す記録媒体が自動で切り換わる再生表示方法」が撮像／再生装置１００により自動選択される。
【００３０】
図５（ｂ）では、記録媒体への記録方法は、「記録媒体が自動で切り換わらない」ように選択されている。これに伴い、画像再生表示方法は、「画像を読み出す記録媒体が自動で切り換わらない再生表示方法」が撮像／再生装置１００により自動選択される。システム制御部５０は、撮像／再生装置１００において画像再生表示方法を自動選択する機能を再生方法制御部８２により実行する。尚、図５（ａ）、（ｂ）でスロット１及び２に付記した矢印は画像を同時に保存する様子を示している。
【００３１】
図６は、撮像／再生装置１００における記録方法に基づいて画像再生表示方法が自動判別される機能を示すフローチャートである。
【００３２】
図６において、システム制御部５０は、記録媒体に記録されている画像を再生して表示部５４に表示する処理を開始し（ステップＳ４０１）、記録媒体に記録されている画像を順に再生していく（ステップＳ４０２）。これに伴い、ユーザにより選択されている記録媒体の最終画像に到達する（ステップＳ４０３）。
【００３３】
システム制御部５０は、記録媒体への記録方法として「記録媒体が自動で切り換わる」（自動切り換え）が選択されているか、「記録媒体が自動で切り換わらない」が選択されているかを判断する（ステップＳ４０４）。記録媒体への記録方法として自動切り換えが選択されていない場合、システム制御部５０は、再生表示対象の画像を同じ記録媒体の先頭画像に戻す。
【００３４】
記録媒体への記録方法として自動切り換えが選択されている場合、システム制御部５０は、次の記録媒体が存在するか否かを判断する（ステップＳ４０５）。次の記録媒体が存在する場合、システム制御部５０は、次の記録媒体に自動切り換えする（ステップＳ４０６）。次の記録媒体が存在しない場合、システム制御部５０は、再生表示対象の画像を同じ記録媒体の先頭画像に戻す。
【００３５】
図７（ａ）、（ｂ）は、撮像／再生装置１００における画像記録時の複数の記録媒体への記録方法と、前記記録方法に基づいて画像再生表示方法が自動判別される機能を示す図である。
【００３６】
図７において、図７（ａ）では、記録媒体への記録方法は、各記録媒体に異なる画像サイズ／画像形式の画像を同時に保存する方法が選択されている。これに伴い、画像再生表示方法は、「画像を読み出す記録媒体が自動で切り換わる再生表示方法」が撮像／再生装置１００により自動選択される。
【００３７】
図７（ｂ）では、記録媒体への記録方法は、各記録媒体に同一の画像サイズ／画像形式の画像を同時に保存する方法が選択されている。これに伴い、画像再生表示方法は、「画像を読み出す記録媒体が自動で切り換わらない再生表示方法」が撮像／再生装置１００により自動選択される。システム制御部５０は、撮像／再生装置１００において画像再生表示方法を自動選択する機能を再生方法制御部８２により実行する。
【００３８】
図８は、撮像／再生装置１００における記録方法に基づいて画像再生表示方法が自動判別される機能を示すフローチャートである。
【００３９】
図８において、ステップＳ５０１〜ステップＳ５０３、ステップＳ５０５〜ステップＳ５０６は、図６のステップＳ４０１〜ステップＳ４０３、ステップＳ４０５〜ステップＳ４０６と同様であり、説明を省略する。システム制御部５０は、ステップＳ５０３の後、記録方法として「各記録媒体に異なる画像サイズを保存」が選択されているか、「各記録媒体に同一の画像サイズを保存」が選択されているかを判断する（ステップＳ５０４）。「各記録媒体に異なる画像サイズを保存」が選択されている場合は、ステップＳ５０５に移行し、「各記録媒体に同一の画像サイズを保存」が選択されている場合は、ステップＳ５０２に移行する。
【００４０】
図９（ａ）、（ｂ）は、撮像／再生装置１００における画像記録時の複数のフォルダへの記録方法と、前記記録方法に基づいて画像再生表示方法が自動判別される機能を示す図である。
【００４１】
図９において、図９（ａ）では、各フォルダへの記録方法は、「自動でフォルダが切り換わる」ように選択されている。これに伴い、画像再生表示方法は、「画像を読み出すフォルダが自動で切り換わる再生表示方法」が撮像／再生装置１００により自動選択される。
【００４２】
図９（ｂ）では、各フォルダへの記録方法は、「自動でフォルダが切り換わらない」ように選択されている。これに伴い、画像再生表示方法は、「画像を読み出すフォルダが自動で切り換わらない再生表示方法」が撮像／再生装置１００により自動選択される。システム制御部５０は、撮像／再生装置１００において画像再生表示方法を自動選択する機能を再生方法制御部８２により実行する。
【００４３】
図１０は、撮像／再生装置１００における記録方法に基づいて画像再生表示方法が自動判別される機能を示すフローチャートである。
【００４４】
図１０において、システム制御部５０は、フォルダに記録されている画像を再生して表示部５４に表示する処理を開始し（ステップＳ６０１）、フォルダに記録されている画像を順に再生していく（ステップＳ６０２）。これに伴い、ユーザにより選択されているフォルダの最終画像に到達する（ステップＳ６０３）。
【００４５】
システム制御部５０は、フォルダへの記録方法として「フォルダが自動で切り換わる」（自動切り換え）が選択されているか、「フォルダが自動で切り換わらない」が選択されているかを判断する（ステップＳ６０４）。フォルダへの記録方法として自動切り換えが選択されていない場合、システム制御部５０は、再生表示対象の画像を同じフォルダの先頭画像に戻す。
【００４６】
フォルダへの記録方法として自動切り換えが選択されている場合、システム制御部５０は、次のフォルダが存在するか否かを判断する（ステップＳ６０５）。次のフォルダが存在する場合、システム制御部５０は、次のフォルダに自動切り換えする（ステップＳ６０６）。次のフォルダが存在しない場合、システム制御部５０は、再生表示対象の画像を同じフォルダの先頭画像に戻す。
【００４７】
図１１（ａ）、（ｂ）は、撮像／再生装置１００における記録媒体に記録されている画像ファイルのファイル番号に基づいて画像再生表示方法が自動判別される機能を示す図である。
【００４８】
図１１において、図１１（ａ）では、ある１つの記録媒体に記録されている最終画像のファイル番号（ＣＦカード：１９９９）と、次の記録媒体に記録されている最初の画像のファイル番号（ＳＤカード：２０００）が続き番号である。これに伴い、画像再生表示方法は、「画像を読み出す記録媒体が自動で切り換わる再生表示方法」が撮像／再生装置１００により自動選択される。
【００４９】
図１１（ｂ）では、ある１つの記録媒体に記録されている最終画像のファイル番号（ＣＦカード：１９９９）と、次の記録媒体に記録されている最初の画像のファイル番号（ＳＤカード：３０００）が続き番号ではない。これに伴い、画像再生表示方法は、「画像を読み出す記録媒体が自動で切り換わらない再生表示方法」が撮像／再生装置１００により自動選択される。システム制御部５０は、撮像／再生装置１００において画像再生表示方法を自動選択する機能を再生方法制御部８２により実行する。
【００５０】
図１２は、撮像／再生装置１００における記録方法に基づいて画像再生表示方法が自動判別される機能を示すフローチャートである。
【００５１】
図１２において、ステップＳ７０１〜ステップＳ７０３、ステップＳ７０６は、図６のステップＳ４０１〜ステップＳ４０３、ステップＳ４０６と同様であり、説明を省略する。システム制御部５０は、ステップＳ７０４の後、画像のファイル番号が「続き番号である」か「続き番号ではない」かを判断する（ステップＳ７０５）。画像のファイル番号が「続き番号である」場合は、ステップＳ７０６に移行し、画像のファイル番号が「続き番号でない」場合は、ステップＳ７０２に移行する。
【００５２】
図１３（ａ）、（ｂ）は、撮像／再生装置１００におけるフォルダに記録されている画像ファイルのファイル番号に基づいて画像再生表示方法が自動判別される機能を示す図である。
【００５３】
図１３において、図１３（ａ）では、ある１つのフォルダに記録されている最終画像のファイル番号（１９９９）と、次のフォルダに記録されている最初の画像のファイル番号（２０００）が続き番号である。これに伴い、画像再生表示方法は、「画像を読み出すフォルダが自動で切り換わる再生表示方法」が撮像／再生装置１００により自動選択される。
【００５４】
図１３（ｂ）では、ある１つのフォルダに記録されている最終画像のファイル番号（１９９９）と、次のフォルダに記録されている最初の画像のファイル番号（３０００）が続き番号ではない。これに伴い、画像再生表示方法は、「画像を読み出すフォルダが自動で切り換わらない再生表示方法」が撮像／再生装置１００により自動選択される。システム制御部５０は、撮像／再生装置１００において画像再生表示方法を自動選択する機能を再生方法制御部８２により実行する。
【００５５】
図１４は、撮像／再生装置１００における記録方法に基づいて画像再生表示方法が自動判別される機能を示すフローチャートである。
【００５６】
図１４において、ステップＳ８０１〜ステップＳ８０３、ステップＳ８０４、ステップＳ８０６は、図１０のステップＳ６０１〜ステップＳ６０３、ステップＳ６０５、ステップＳ６０６と同様であり、説明を省略する。システム制御部５０は、ステップＳ８０４の後、画像のファイル番号が「続き番号である」か「続き番号ではない」かを判断する（ステップＳ８０５）。画像のファイル番号が「続き番号である」場合は、ステップＳ８０６に移行し、画像のファイル番号が「続き番号でない」場合は、ステップＳ８０２に移行する。
【００５７】
図１５（ａ）、（ｂ）は、撮像／再生装置１００における画像再生の再生表示方法と、前記再生表示方法に基づいて画像記録方法が自動判別される機能を示す図である。
【００５８】
図１５において、図１５（ａ）では、画像再生時の再生表示方法は、「記録媒体が自動で切り換わる」ように選択されている。これに伴い、画像記録方法は、「画像を読み出す記録媒体が自動で切り換わる画像記録方法」が撮像／再生装置１００により自動選択される。
【００５９】
図１５（ｂ）では、画像再生時の再生表示方法は、「記録媒体が自動で切り換わらない」ように選択されている。これに伴い、画像記録方法は、「画像を読み出す記録媒体が自動で切り換わらない画像記録方法」が撮像／再生装置１００により自動選択される。システム制御部５０は、撮像／再生装置１００において画像記録方法を自動選択する機能を記録方法制御部８４により実行する。
【００６０】
図１６は、撮像／再生装置１００における再生表示方法に基づいて画像記録方法が自動判別される機能を示すフローチャートである。
【００６１】
図１６において、記録媒体に記録されている画像を再生して表示部５４に表示する処理を開始し（ステップＳ９０１）、記録媒体に記録されている画像を順に再生していく（ステップＳ９０２）。これに伴い、記録媒体の空き容量が無くなる（ステップＳ９０３）。
【００６２】
システム制御部５０は、記録媒体からの画像の再生方法として「記録媒体が自動で切り換わる」（自動切り換え）が選択されているか、「記録媒体が自動で切り換わらない」が選択されているかを判断する（ステップＳ９０４）。記録媒体からの再生方法として自動切り換えが選択されていない場合、システム制御部５０は、撮像／再生装置１００による撮影を停止する。
【００６３】
記録媒体からの再生方法として自動切り換えが選択されている場合、システム制御部５０は、次の記録媒体が存在するか否かを判断する（ステップＳ９０５）。次の記録媒体が存在する場合、システム制御部５０は、次の記録媒体に自動切り換えする（ステップＳ９０６）。次の記録媒体が存在しない場合、システム制御部５０は、撮像／再生装置１００による撮影を停止する。
【００６４】
以上説明したように、本実施の形態によれば、従来のようにスロットを手動で切り替えるという煩雑な操作を行うことなく、複数のスロットにそれぞれ接続された記録媒体に記録されている画像を再生表示することが可能となる。
【００６５】
また、上述したように自動でのスロット切り換えと手動でのスロット切り換えを可能とすることにより、用途に合致した画像再生方法を選択することが可能となる。
【００６６】
また、画像記録時の記録媒体切り換え方法に基づいて、画像再生時の記録媒体切り換え方法が選択されるので、記録時と再生時の操作のマッチングの向上を図ることが可能となる。
【００６７】
また、画像記録時のフォルダの切り換え方法に基づいて、画像再生時のフォルダ切り換え方法が選択されるので、記録時と再生時の操作のマッチングの向上を図ることが可能となる。
【００６８】
また、画像再生時の記録媒体切り換え方法に基づいて、画像記録時の記録媒体切り換え方法が選択されるので、再生時と記録時の操作のマッチングの向上を図ることが可能となる。
【００６９】
［他の実施の形態］
上記実施の形態では、記録媒体としてＣＦカード、ＳＤカード、ＨＤＤを例に挙げたが、本発明は、特定の記録媒体に限定されるものではなく、撮像／再生装置の仕様に応じた記録媒体を用いることが可能である。
【００７０】
上記実施の形態では、撮像／再生装置で撮影する画像の種類については言及しなかったが、本発明は、静止画像の撮影を行う撮像／再生装置、動画像の撮影を行う撮像／再生装置の何れにも適用することが可能である。
【００７１】
また、本発明の目的は、前述した各実施の形態の機能を実現するソフトウェアのプログラムコードを記憶した記憶媒体を、システム或いは装置に供給し、以下の処理を行うことによっても達成される。即ち、そのシステム或いは装置のコンピュータ（またはＣＰＵやＭＰＵ等）が記憶媒体に格納されたプログラムコードを読み出し実行することによっても達成される。
【００７２】
この場合、記憶媒体から読み出されたプログラムコード自体が前述した各実施の形態の機能を実現することになり、そのプログラムコード及び該プログラムコードを記憶した記憶媒体は本発明を構成することになる。
【００７３】
また、プログラムコードを供給するための記憶媒体としては、例えば、フロッピー（登録商標）ディスク、ハードディスク、光磁気ディスクを用いることができる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００７４】
また、コンピュータが読み出したプログラムコードを実行することにより、前述した各実施の形態の機能が実現されるだけではなく、以下の場合も含まれる。即ち、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００７５】
更に、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、以下の処理を行う場合も含まれる。即ち、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００７６】
【図１】本発明の実施の形態に係る撮像／再生装置の構成を示すブロック図である。
【図２】画像を再生して表示する時に１つの記録媒体に記録されている画像を表示した後に、次の記録媒体に記録されている画像を自動で再生表示する機能を示す図である。
【図３】画像再生表示を行う際に画像を読み込む記録媒体の切り換え方法を示すフローチャートである。
【図４】撮像／再生装置の液晶表示部に表示される画像再生表示選択例を示す図である。である。
【図５】（ａ）、（ｂ）は、画像記録時の複数の記録媒体への記録方法と、前記記録方法に基づいて画像再生表示方法が自動判別される機能を示す図である。
【図６】記録方法に基づいて画像再生表示方法が自動判別される機能を示すフローチャートである。
【図７】（ａ）、（ｂ）は、画像記録時の複数の記録媒体への記録方法と、前記記録方法に基づいて画像再生表示方法が自動判別される機能を示す図である。
【図８】記録方法に基づいて画像再生表示方法が自動判別される機能を示すフローチャートである。
【図９】（ａ）、（ｂ）は、画像記録時の複数のフォルダへの記録方法と、前記記録方法に基づいて画像再生表示方法が自動判別される機能を示す図である。
【図１０】記録方法に基づいて画像再生表示方法が自動判別される機能を示すフローチャートである。
【図１１】（ａ）、（ｂ）は、記録媒体に記録されている画像ファイルのファイル番号に基づいて画像再生表示方法が自動判別される機能を示す図である。
【図１２】記録方法に基づいて画像再生表示方法が自動判別される機能を示すフローチャートである。
【図１３】（ａ）、（ｂ）は、フォルダに記録されている画像ファイルのファイル番号に基づいて画像再生表示方法が自動判別される機能を示す図である。
【図１４】記録方法に基づいて画像再生表示方法が自動判別される機能を示すフローチャートである。
【図１５】（ａ）、（ｂ）は、画像再生の再生表示方法と、前記再生表示方法に基づいて画像記録方法が自動判別される機能を示す図である。
【図１６】再生表示方法に基づいて画像記録方法が自動判別される機能を示すフローチャートである。
【符号の説明】
【００７７】
１４  撮像素子
５０  システム制御部
５４  表示部
８０  スロット切換部
８２  再生方法制御部
８４  記録方法制御部
１００  撮像／再生装置
２００、２１０  記録媒体
【図１】
2008141510.tif 000003
【図２】
2008141510.tif 000004
【図３】
2008141510.tif 000005
【図４】
2008141510.tif 000006
【図５】
2008141510.tif 000007
【図６】
2008141510.tif 000008
【図７】
2008141510.tif 000009
【図８】
2008141510.tif 000010
【図９】
2008141510.tif 000011
【図１０】
2008141510.tif 000012
【図１１】
2008141510.tif 000013
【図１２】
2008141510.tif 000014
【図１３】
2008141510.tif 000015
【図１４】
2008141510.tif 000016
【図１５】
2008141510.tif 000017
【図１６】
2008141510.tif 000018